【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
画像データを有する画像処理装置であって、
前記画像データと、階調補正処理に関する第１の入力パラメータの操作画面と、を表示する表示部と、
前記操作画面に対する前記第１の入力パラメータの変更操作に応じて、変更後の前記第１の入力パラメータを、前記階調補正処理に関し前記第１の入力パラメータとは異なる第２の入力パラメータに変換する変換部と、
前記第２の入力パラメータを用いて、前記画像データを階調補正処理する画像処理部と、を備え、
前記画像処理部は、動画再生中の前記画像データに対して、変更操作後の前記第１の入力パラメータに伴って変更された前記第２の入力パラメータを用いて前記階調補正処理を行う、
画像処理装置。
【請求項２】
請求項１に記載の画像処理装置であって、
前記表示部は、前記画像データと階調補正メニューバーとを同一画面上に表示し、さらに前記階調補正メニューバーの表示領域の一部に設けられるマーカの押下により前記第１の入力パラメータの操作画面を表示し、
前記画像処理部は、前記マーカの押下により前記第１の入力パラメータの操作画面が前記画像データと同一画面上に表示された状態で、動画再生中の前記画像データに対して、操作後の前記第１の入力パラメータに伴って変更された前記第２の入力パラメータを用いた前記階調補正処理を行い、前記階調補正メニューバーの押下により、前記画像データを再生した状態で前記階調補正処理の実行又は中断する、
画像処理装置。
【請求項３】
請求項１又は２に記載の画像処理装置であって、
前記第１の入力パラメータは、前記画像データのコントラスト強調、逆光補正、暗部補正、明部補正の少なくともいずれかを補正方式パラメータとして選択可能に含み、
前記変換部は、選択された前記補正方式パラメータに対応する前記第２の入力パラメータを設定し、
前記画像処理部は、設定された前記第２の入力パラメータを用いて前記画像データのヒストグラムを整形する、
画像処理装置。
【請求項４】
請求項３に記載の画像処理装置であって、
前記第１の入力パラメータはさらに、前記画像データの局所領域における局所ヒストグラムを生成する範囲を、指定された中心からの距離に応じて設定する補正範囲パラメータを含み、
前記変換部は、設定された前記補正範囲パラメータに対応する前記第２の入力パラメータを設定し、
前記画像処理部は、設定された前記第２の入力パラメータを用いて前記局所ヒストグラムを整形する、
画像処理装置。
【請求項５】
請求項４に記載の画像処理装置であって、
前記補正範囲パラメータは、前記補正方式パラメータの選択肢が複数ある場合に、前記補正方式パラメータのいずれにも設定可能に表示される、
画像処理装置。
【請求項６】
請求項４又は５に記載の画像処理装置であって、
前記補正範囲パラメータに対応する第２の入力パラメータとして、前記画像データのヒストグラムが所定の上限値以上となった場合に前記上限値以上の値を切り捨てるために設定されるヒスト上限クリップ量パラメータを含み、
前記変換部は、選択された前記補正方式パラメータに対応して前記ヒスト上限クリップ量パラメータを設定する、
画像処理装置。
【請求項７】
請求項４又は５に記載の画像処理装置であって、
前記補正範囲パラメータに対応する第２の入力パラメータとして、前記画像データのヒストグラムが所定の下限値以下となった場合に前記下限値以下の値を切り捨てるために設定されるヒスト下限クリップ量パラメータを含み、
前記変換部は、選択された前記補正方式パラメータに対応して前記ヒスト下限クリップ量パラメータを設定する、
画像処理装置。
【請求項８】
請求項３〜７のうちいずれか一項に記載の画像処理装置であって、
前記第１の入力パラメータはさらに、少なくとも前記画像処理部への入力画像データと前記画像処理部からの出力画像データとのブレンド率を設定する補正強度パラメータを含み、
前記変換部は、設定された前記補正強度パラメータに対応する前記第２の入力パラメータを設定する、
画像処理装置。
【請求項９】
請求項８に記載の画像処理装置であって、
前記補正強度パラメータは、前記補正方式パラメータの選択肢が複数ある場合に、前記補正方式パラメータのいずれにも設定可能に表示される、
画像処理装置。
【請求項１０】
請求項８又は９に記載の画像処理装置であって、
前記補正強度パラメータに対応する第２の入力パラメータとして、少なくとも前記入力画像データに対する前記出力画像データの画像ブレンド率パラメータを含み、
前記変換部は、設定された前記補正強度パラメータを、少なくとも前記画像ブレンド率パラメータに変換する、
画像処理装置。
【請求項１１】
請求項３〜１０のうちいずれか一項に記載の画像処理装置であって、
前記第１の入力パラメータはさらに、前記画像処理部からの出力画像の色の強調度合いを調整するための色強調度パラメータを含み、
前記変換部は、設定された前記色強調度パラメータに対応する前記第２の入力パラメータである色ゲインに変換する、
画像処理装置。
【請求項１２】
請求項１１に記載の画像処理装置であって、
前記色強調度パラメータは、前記補正方式パラメータの選択肢が複数ある場合に、前記補正方式パラメータのいずれにも設定可能に表示される、
画像処理装置。
【請求項１３】
請求項２に記載の画像処理装置であって、
前記表示部は、前記画像データと前記第１の入力パラメータの操作画面を含む前記階調補正メニューバーを有する複数の画像処理のメニュー画面とを同一画面上に表示する、
画像処理装置。
【請求項１４】
画像データを有する画像処理装置における画像処理方法であって、
前記画像データと、階調補正処理に関する第１の入力パラメータの操作画面と、を表示するステップと、
前記操作画面に対する前記第１の入力パラメータの変更操作を受け付けるステップと、
前記第１の入力パラメータの変更操作に応じて、変更後の前記第１の入力パラメータを、前記階調補正処理に関し前記第１の入力パラメータとは異なる第２の入力パラメータに変換するステップと、
前記第２の入力パラメータを用いて、前記画像データを階調補正処理するステップと、
動画再生中の前記画像データに対して、変更操作後の前記第１の入力パラメータに伴って変更された前記第２の入力パラメータを用いて前記階調補正処理を行うステップと、
を有する、
画像処理方法。
【手続補正２】
【補正対象書類名】明細書
【補正対象項目名】０００９
【補正方法】変更
【補正の内容】
【０００９】
本発明は、画像データを有する画像処理装置であって、前記画像データと、階調補正処理に関する第１の入力パラメータの操作画面と、を表示する表示部と、前記操作画面に対する前記第１の入力パラメータの変更操作に応じて、変更後の前記第１の入力パラメータを、前記階調補正処理に関し前記第１の入力パラメータとは異なる第２の入力パラメータに変換する変換部と、前記第２の入力パラメータを用いて、前記画像データを階調補正処理する画像処理部と、を備え、前記画像処理部は、動画再生中の前記画像データに対して、変更操作後の前記第１の入力パラメータに伴って変更された前記第２の入力パラメータを用いて前記階調補正処理を行う、画像処理装置である。
【手続補正３】
【補正対象書類名】明細書
【補正対象項目名】００１２
【補正方法】変更
【補正の内容】
【００１２】
本発明は、画像データを有する画像処理装置における画像処理方法であって、前記画像データと、階調補正処理に関する第１の入力パラメータの操作画面と、を表示するステップと、前記操作画面に対する前記第１の入力パラメータの変更操作を受け付けるステップと、前記第１の入力パラメータの変更操作に応じて、変更後の前記第１の入力パラメータを、前記階調補正処理に関し前記第１の入力パラメータとは異なる第２の入力パラメータに変換するステップと、前記第２の入力パラメータを用いて、前記画像データを階調補正処理するステップと、動画再生中の前記画像データに対して、変更操作後の前記第１の入力パラメータに伴って変更された前記第２の入力パラメータを用いて前記階調補正処理を行うステップと、を有する、画像処理方法である。